(57)【特許請求の範囲】
【請求項１】
受信した所定の放送番組内の構成部分である番組コーナーを検出する検出手段と、
前記検出手段が検出した前記番組コーナーの開始時刻及び終了時刻のデータを保存する蓄積手段と、
前記蓄積手段に保存された開始時刻及び終了時刻のデータを用いて、前記所定の放送番組の放送回数と、前記所定の放送番組内の所定の時間帯に前記番組コーナーが放送された回数とに基づいて、前記番組コーナーの放送時間帯を予測して、放送予測情報の表示データを作成して出力する作成手段と、を備えることを特徴とする受信装置。
【請求項２】
前記蓄積手段に保存された開始時刻及び終了時刻のデータを用いて、前記所定の放送番組の放送回数に対して、前記所定の放送番組内の所定の時間帯に前記番組コーナーが放送された割合を、放送率として計算する計算手段をさらに備え、
前記作成手段は、前記計算手段が計算した前記放送率を閾値と比較して、前記放送率が前記閾値以上である場合に、前記番組コーナーの放送予測情報を表示した予測番組表を作成することを特徴とする請求項１に記載の受信装置。
【請求項３】
前記作成手段は、前記計算手段が計算した前記放送率を、前記番組コーナーの放送可能性を示す複数の段階にそれぞれ対応した閾値と比較して、前記放送率が前記閾値以上である場合に、前記番組コーナーの放送可能性を予測時間帯とし、前記予測時間帯を前記複数の段階に区別して前記予測番組表に表示させる表示データを作成することを特徴とする請求項２に記載の受信装置。
【請求項４】
前記計算手段は、前記蓄積手段に保存された開始時刻のデータを用いて、予め決められた時間ごとに前記番組コーナーの放送が開始された割合を示す放送開始率を計算し、
前記作成手段は、前記計算手段が計算した前記放送開始率を閾値と比較して、前記放送開始率が前記閾値以上である場合に、前記番組コーナーの放送可能性について予測情報を示す表示データを作成することを特徴とする請求項２に記載の受信装置。
【請求項５】
前記作成手段による前記番組コーナーの予測時間帯を表示した予測番組表の作成の際、前記予測番組表にて複数の番組コーナーの間で前記予測時間帯が重なり合う場合に、前記複数の番組コーナーのうち、どの放送率が大きいかを判定する重なり計算手段をさらに備え、
前記重なり計算手段は、前記予測時間帯が重なり合う複数の番組コーナーのうち、放送率が大きい番組コーナーの予測時間帯を前記予測番組表にて画面の前景に描画させると判断して前記作成手段に通知することを特徴とする請求項３に記載の受信装置。
【請求項６】
前記番組コーナーの選局が指定された場合、前記計算手段が計算した前記放送開始率を用いて、複数の番組コーナーのうちで現在時刻での前記放送開始率が最大である番組コーナーを選択して受信手段に選局を指示する選局判断手段をさらに備えることを特徴とする請求項４に記載の受信装置。
【請求項７】
前記番組コーナーの選局が指定された場合、前記計算手段が計算した前記放送開始率を用いて、現在時刻以降に分布する前記放送開始率を合計した総開始率を算出し、現在時刻にて放送が開始していない複数の番組コーナーのうちで総開始率が基準値以上である番組コーナーを候補として抽出する選局判断手段をさらに備えることを特徴とする請求項４に記載の受信装置。
【請求項８】
前記選局判断手段は、前記複数の番組コーナーの放送が開始された開始時刻の分布を調べて、前記候補のうち、前記放送開始率の終端位置の時刻が現在時刻に最も近い番組コーナーを選択して受信手段に選局を指示することを特徴とする請求項７に記載の受信装置。
【請求項９】
受信した所定の放送番組内の構成部分である番組コーナーを検出手段が検出する検出工程と、
前記検出工程で前記検出手段により検出された前記番組コーナーの開始時刻及び終了時刻のデータを蓄積手段が保存する蓄積工程と、
前記蓄積工程で前記蓄積手段に保存された開始時刻及び終了時刻のデータを用いて、前記所定の放送番組の放送回数と、前記所定の放送番組内の所定の時間帯に前記番組コーナーが放送された回数とに基づいて、作成手段が前記番組コーナーの放送時間帯を予測して、放送予測情報の表示データを作成して出力する作成工程と、を有することを特徴とする受信装置の制御方法。
【請求項１０】
計算手段が、前記蓄積工程で前記蓄積手段に保存された開始時刻及び終了時刻のデータを用いて、前記所定の放送番組の放送回数に対して、前記所定の放送番組内の所定の時間帯に前記番組コーナーが放送された割合を、放送率として計算する計算工程をさらに有し、
前記作成工程で前記作成手段は、前記計算工程で前記計算手段によって計算された前記放送率を閾値と比較して、前記放送率が前記閾値以上である場合に、前記番組コーナーの放送予測情報を表示した予測番組表を作成することを特徴とする請求項９に記載の受信装置の制御方法。
【請求項１１】
前記作成工程で前記作成手段は、前記計算工程で前記計算手段によって計算された前記放送率を、前記番組コーナーの放送可能性を示す複数の段階にそれぞれ対応した閾値と比較して、前記放送率が前記閾値以上である場合に、前記番組コーナーの放送可能性を予測時間帯とし、前記予測時間帯を前記複数の段階に区別して前記予測番組表に表示させる表示データを作成することを特徴とする請求項１０に記載の受信装置の制御方法。
【請求項１２】
前記計算工程で前記計算手段は、前記蓄積工程で前記蓄積手段に保存された開始時刻のデータを用いて、予め決められた時間ごとに前記番組コーナーの放送が開始された割合を示す放送開始率を計算し、
前記作成工程で前記作成手段は、前記計算工程で前記計算手段によって計算された前記放送開始率を閾値と比較して、前記放送開始率が前記閾値以上である場合に、前記番組コーナーの放送可能性について予測情報を示す表示データを作成することを特徴とする請求項１０に記載の受信装置の制御方法。
【請求項１３】
前記作成工程での前記作成手段による前記番組コーナーの予測時間帯を表示した予測番組表の作成の際、前記予測番組表にて複数の番組コーナーの間で前記予測時間帯が重なり合う場合に、前記複数の番組コーナーのうち、どの放送率が大きいかを重なり計算手段が判定する重なり計算工程をさらに有し、
前記重なり計算工程で前記重なり計算手段は、前記予測時間帯が重なり合う複数の番組コーナーのうち、放送率が大きい番組コーナーの予測時間帯を前記予測番組表にて画面の前景に描画させると判断して前記作成工程での前記作成手段による前記予測番組表の作成を制御することを特徴とする請求項１１に記載の受信装置の制御方法。
【請求項１４】
前記番組コーナーの選局が指定された場合、前記計算工程で前記計算手段によって計算された前記放送開始率を用いて、複数の番組コーナーのうちで現在時刻での前記放送開始率が最大である番組コーナーを選局判断手段が選択して前記受信装置が備える受信手段に選局を指示する選局判断工程をさらに有することを特徴とする請求項１２に記載の受信装置の制御方法。
【請求項１５】
前記番組コーナーの選局が指定された場合、前記計算工程で前記計算手段によって計算された前記放送開始率を用いて、選局判断手段が、現在時刻以降に分布する前記放送開始率を合計した総開始率を算出し、現在時刻にて放送が開始していない複数の番組コーナーのうちで総開始率が基準値以上である番組コーナーを候補として抽出する選局判断工程をさらに有することを特徴とする請求項１２に記載の受信装置の制御方法。
【請求項１６】
前記選局判断工程で前記選局判断手段は、前記複数の番組コーナーの放送が開始された開始時刻の分布を調べて、前記候補のうち、前記放送開始率の終端位置の時刻が現在時刻に最も近い番組コーナーを選択して前記受信装置が備える受信手段に選局を指示することを特徴とする請求項１５に記載の受信装置の制御方法。
【発明の詳細な説明】
【技術分野】
【０００１】
本発明は、番組の構成部分（以下、コーナーという）の放送予測情報を提示する受信装置及びその制御方法に関する。
【背景技術】
【０００２】
現在、音声や映像の解析技術により、番組内のコーナーを検出することが可能となっている。特許文献１には、音声信号のパターンマッチングによるコーナー検出技術が開示されている。
また、番組放送信号に関連するＳＩ（Service Information）情報は、番組情報などのサービスに関する情報を有するため、取得済みのＳＩ情報に基づいて、ＳＩ情報が未取得の番組を推測可能である。特許文献２には、番組データが未受信の場合に、連続する番組や関連が強い定時番組（映画やバラエティ番組）における番組編成の特性から、番組データを推測形成する方法が開示されている。番組編成の特性とは、例えば毎日特定の時間帯に類似内容の同名番組が放送される傾向が非常に強いといったことである。
【先行技術文献】
【特許文献】
【０００３】
【特許文献１】特開２００４−２２１９８４号公報
【特許文献２】特開２００３−２３００６７号公報
【発明の概要】
【発明が解決しようとする課題】
【０００４】
ところで、番組内のコーナーの開始時刻や終了時刻が一定せず、放送の度に変動することがある。この場合、従来の技術では番組内のコーナーの放送開始や放送終了の予測情報をユーザに提示できないという課題があった。
そこで本発明は、過去に放送された番組コーナーの開始時刻や終了時刻に基づいてコーナーの放送時刻を予測してユーザに提示することで利便性を向上させることを目的とする。
【課題を解決するための手段】
【０００５】
本発明の一実施形態の受信装置は、受信した所定の放送番組内の構成部分である番組コーナーを検出する検出手段と、前記検出手段が検出した前記番組コーナーの開始時刻及び終了時刻のデータを保存する蓄積手段と、前記蓄積手段に保存された開始時刻及び終了時刻のデータを用いて、前記所定の放送番組の放送回数と、前記所定の放送番組内の所定の時間帯に前記番組コーナーが放送された回数とに基づいて、前記番組コーナーの放送時間帯を予測して、放送予測情報の表示データを作成して出力する作成手段と、を備える。
【発明の効果】
【０００６】
本発明によれば、過去に放送された番組コーナーの放送時刻に基づいてコーナーの放送予測情報をユーザに提示することで、ユーザの利便性を向上させることができる。
【図面の簡単な説明】
【０００７】
【図１】本発明の第１実施形態及び第２実施形態に係る受信装置の構成例を示すブロック図である。
【図２】図１のコーナー検出部１０２の検出例を説明する図である。
【図３】時刻データの蓄積例（Ａ）と、コーナーの放送率の計算例（Ｂ）を説明する図である。
【図４】コーナー予測番組表の放送可能性を選択するメニュー画面例を示す図である。
【図５】本発明の第１実施形態に係るコーナー予測番組表を例示した図である。
【図６】本発明の第１実施形態に係る受信装置の動作を説明するフローチャートである。
【図７】本発明の第２実施形態に係るコーナー予測番組表を例示した図である。
【図８】本発明の第３実施形態に係る受信装置の構成例を示すブロック図である。
【図９】本発明の第３実施形態に係るコーナー予測番組表を例示した図である。
【図１０】本発明の第４実施形態及び第５実施形態に係る受信装置の構成例を示すブロック図である。
【図１１】図１２乃至１５と併せて本発明の第４実施形態を説明するために、コーナー予測番組表の作成処理を説明する図である。
【図１２】コーナー予測番組表の説明図である。
【図１３】図１２よりも後の時刻におけるコーナー予測番組表の説明図である。
【図１４】コーナー予測番組表の作成処理を説明するための図である。
【図１５】図１３よりも後の時刻におけるコーナー予測番組表の説明図である。
【図１６】図１７及び１８と併せて本発明の第５実施形態を説明するために、コーナー予測選局の指定に用いるメニュー画面例を示す図である。
【図１７】図１０の受信装置２１０１の動作を説明するフローチャートである。
【図１８】コーナー名と時刻毎の放送開始率の分布例を示す図である。
【発明を実施するための形態】
【０００８】
本発明の各実施形態について、添付図面を用いて説明する。本発明に係る受信装置は、放送番組内のコーナーに係る放送予測情報として予測番組表をユーザに提示する機能を有する。以下では、番組内の特定の構成部分を、１つのコーナーと記述する（図２参照）。
【０００９】
［第１実施形態］
図１は、本発明に係る受信装置の構成例を示す。図１は本発明の第１実施形態に係る受信装置１０１及び第２実施形態に係る受信装置１００１の説明に使用する。
受信手段を構成するチューナ１０７、１１２は、図示しないアンテナ又はケーブルテレビ回線を介して入力されたデジタル放送信号を受信する。デコーダ１０８、１１３は、チューナ１０７、１１２がそれぞれ受信した信号の復調処理、誤り訂正処理を行い、映像信号、音声信号及び番組情報をデコード（復号化）する。
コーナー検出部１０２は、デコーダ１０８が復号化した放送信号における番組内の各コーナーを検出する。コーナー検出については既知の技術により可能である（前記特許文献１参照）。図２はコーナー検出部１０２によるコーナーＡ乃至Ｄの検出結果２０１を例示する。検出した番組内のコーナーＡが１７時００分乃至１７時０５分に放送され、コーナーＢが１７時０５分乃至１７時１０分に放送されたことを示す。
コーナー開始終了時刻蓄積部（以下、時刻データ蓄積部という）１０３は、コーナー検出部１０２が検出した番組毎のコーナーの開始時刻及び終了時刻を示すデータを蓄積する。蓄積したデータは、番組毎に所定期間、例えば１０日に亘ってメモリに保存される。図３（Ａ）は時刻データ蓄積部１０３の蓄積データ例として、番組ａと番組ｂのデータをそれぞれ５日分示している。なお、対象番組が同一番組かどうかの判定については、番組情報に含まれる番組タイトルの一致判定により行える。
【００１０】
コーナー検出専用のチューナ１０７は、所定時間（例えば１秒）毎に各サービスの選局処理を実行する。コーナー検出部１０２は、全サービスにおける全番組のコーナーを検出する。時刻データ蓄積部１０３は、コーナー検出結果を受けて、全サービスにおける全番組のコーナー開始時刻及び終了時刻のデータを蓄積する。コーナー放送率計算部１０４は、時刻データ蓄積部１０３に蓄積された所定期間分のデータを用いて、コーナーの放送率を計算する。放送率とは、予め決められた時間（例えば１分）毎に各コーナーが放送された割合を示す。本例では時刻データ蓄積部１０３が蓄積したコーナー毎の１０日分のデータ（コーナー開始時刻及び終了時刻）を使用して、放送率が計算される。図３（Ｂ）は番組ａの各時刻における放送率の計算結果を例示する。例えば、図３（Ｂ）のコーナーＢの場合、番組開始時刻から４分後、５分後、６分後、７分後の放送率はそれぞれ０％、１０％、７０％、９０％となる。
コーナー予測番組表作成制御部（以下、表作成制御部という）１０５は、コーナー予測番組表の作成処理を制御する。コーナー予測番組表とは、各コーナーの開始時刻や終了時刻の予測情報に基づいて作成されてユーザに提示される番組表である。画面作成部１０９は、コーナー予測番組表表示判断部（以下、表示判断部という）１０６から予測番組表の表示指示を受け、コーナー放送率計算部１０４による各コーナーの放送率の計算結果を用いて、コーナー予測番組表を作成する。
表示判断部１０６は、コーナー予測番組表の表示指示を行う際、放送可能性をユーザが複数の段階から選択した選択肢や、ユーザが入力した指定値などに従って画面作成部１０９に指示する。放送可能性は、特定の時刻にコーナーが放送される確率や予測時間帯、放送開始の予測時刻などを含む。以下では、ユーザが放送可能性を「高」、「中」、「低」の３段階で指定可能な形態を例にして説明する。
【００１１】
放送可能性の指定は、図４で示す選択メニュー画面５０１をユーザに提示して所望のボタン選択を受け付けることで行われる。コーナー予測番組表の選択メニュー画面５０１には、放送可能性の選択ボタン５０２（高）、５０３（中）、５０４（低）が表示される。ユーザは図示しないリモートコントローラ（以下、リモコンという）の操作により、所望のボタンを選択することで、放送可能性を指定する。
リモコン受信部１１１はリモコン信号を受信し、リモコンコード解析部１１０がリモコンコードを解析する。解析の結果、コーナー予測番組表の選択メニューの表示要求があったと判断された場合、リモコンコード解析部１１０から画面作成部１０９への制御指令により、図４の選択メニュー画面５０１が表示される。ユーザのリモコン操作により、選択ボタン５０２乃至５０４が操作される。このとき、表示判断部１０６は、リモコンコード解析部１１０からの通知により、選択メニュー画面５０１上の選択ボタン５０２乃至５０４のうち、どのボタンが選択されたかを知る。これにより、表示判断部１０６は、放送可能性について「高」、「中」、「低」のいずれが指定されたかを判断する。
【００１２】
表作成制御部１０５は、表示判断部１０６からコーナー予測番組表の表示指示を受けて、放送可能性「高」が指定された場合、図５（Ａ）に示すコーナー予測番組表を画面作成部１０９に作成させる。図５（Ａ）は、放送可能性「高」のコーナー予測番組表６０１を例示する。以下では、図３の番組ａに注目して、放送可能性が「高」の場合のコーナー予測番組表の作成処理を説明する。番組名の表示欄６０２に示す番組ａ内の各コーナーＡ乃至Ｄが放送される予測時間帯６０３乃至６０６をそれぞれ示す。
放送可能性の判定に用いる放送率の閾値については予め設定されるか、またはユーザによって事前に指定可能である。本例では説明の便宜上、閾値を固定値として説明する。放送可能性が「高」の場合、コーナー放送率計算部１０４による放送率が９０％以上の部分がコーナー予測番組表に表示される。図３（Ｂ）に示す番組ａについての放送率計算から、コーナーＡの放送率が９０％以上の時間帯は、番組開始時刻１７時００分から０乃至５分の間である。コーナーＡの予測時間帯６０３は、１７時００分乃至１７時０５分の時間帯で表示される。また、コーナーＢの放送率が９０％以上の時間帯は、番組開始時刻から７乃至９分の間であり、その予測時間帯６０４は１７時０７分乃至１７時０９分の時間帯である。同様にコーナーＣとコーナーＤについても予測時間帯が表示される。
図５（Ｂ）は、放送可能性が「中」の場合のコーナー予測番組表７０１を例示する。番組名の表示欄７０２に示す番組ａ内の各コーナーＡ乃至Ｄの予測時間帯７０３乃至７０６を示す。放送可能性が「中」の場合、放送率が４０％以上の部分がコーナー予測番組表に表示される。図３（Ｂ）の番組ａについての放送率計算結果から、コーナーＡの予測時間帯７０３（１７時００分乃至１７時０５分）、コーナーＢの予測時間帯７０４（１７時０６分乃至１７時１２分）が表示される。同様にコーナーＣとコーナーＤについても予測時間帯が表示される。
図５（Ｃ）は、放送可能性が「低」の場合のコーナー予測番組表８０１を例示する。放送可能性が「低」の場合、放送率計算結果により放送率が１０％以上の時間帯が前記と同様の方法で作成される。番組名の表示欄８０２に示す番組ａ内の各コーナーＡ乃至Ｄの予測時間帯８０３乃至８０６がコーナー予測番組表に表示される。
このように表作成制御部１０５は、放送可能性の指定情報に従って、過去の一定期間における放送率とその閾値に応じてコーナー予測番組表の作成処理を制御する。画面作成部１０９は放送可能性に係るユーザの要求に応じて、図５に示すコーナー予測番組表の表示データを作成し、合成部１１４に出力する。
番組情報取得部１１６は、デコーダ１０８で復号化された番組情報を取得し、表作成制御部１０５に送る。合成部１１４は、デコーダ１１３で復号化された映像信号と、画面作成部１０９が作成した表示データに係る画像信号を合成する。画面作成部１０９が作成する表示データは、コーナー予測番組表やユーザ操作メニューなどのＧＵＩ（Graphical User Interface）画面のデータである。合成部１１４は、合成した映像信号を表示部１１５へ送出する。表示部１１５は映像信号を受けて、ＬＣＤ（Liquid Crystal Display）やＰＤＰ（Plasma Display Panel）等のディスプレイ装置に映像表示する。
【００１３】
次に、図６のフローチャートを用いて、コーナー予測番組表の表示処理について説明する。
Ｓ９０１では、ユーザのリモコン操作指示の内容をリモコンコード解析部１１０が解析し、表示判断部１０６はコーナー予測番組表の表示要求があったか否かを判定する。コーナー予測番組表の表示要求があった場合（Ｓ９０１でＹＥＳ）、表示判断部１０６は表作成制御部１０５へコーナー予測番組表の表示を要求し、Ｓ９０２に進む。コーナー予測番組表の表示要求がない場合（Ｓ９０１でＮＯ）にはＳ９０１の判定処理を繰り返す。
Ｓ９０２で表作成制御部１０５は、表示判断部１０６からコーナー予測番組表の表示時における放送可能性の指定情報を取得する。放送可能性の指定情報は、図４に示す選択メニュー画面５０１の選択ボタン５０２乃至５０４の操作によって指定される情報である。本実施形態では、放送可能性の指定情報が「高」、「中」、「低」のいずれかであり、コーナーの放送率が９０％以上、４０％以上、１０％以上の予測時間帯が指定に従ってコーナー予測番組表にそれぞれ表示される。
【００１４】
Ｓ９０３で番組情報取得部１１６はデコーダ１０８から番組情報を取得する。この番組情報は表作成制御部１０５に送られる。Ｓ９０４で表作成制御部１０５は、番組情報に含まれる番組について、時刻データ蓄積部１０３の保持する１０日分のデータが示すコーナーを全て取得し、コーナー放送率計算部１０４に渡す。Ｓ９０５でコーナー放送率計算部１０４は、時刻データ蓄積部１０３の蓄積情報を使用して、各コーナーの放送率を計算する。Ｓ９０６で表作成制御部１０５は、各コーナーの予測番組表の表示について判断するため、コーナー放送率計算部１０４から取得した１分毎の放送率をその閾値と比較する。閾値は放送可能性の指定情報に応じて予め設定されている。ある時刻におけるコーナーの放送率が、放送可能性の指定情報に対応する閾値以上の場合（Ｓ９０６でＹＥＳ）、Ｓ９０７に進み、該コーナーの放送率が閾値未満の場合（Ｓ９０６でＮＯ）、Ｓ９０８に進む。Ｓ９０７で表作成制御部１０５は、Ｓ９０６の判定条件が満たされるため、判定対象の時刻をコーナー予測番組表にて予測時間帯に表示させると判断する。例えば、放送可能性が「高」の場合、放送率が９０％以上の予測時間帯が表示される。図３（Ｂ）の例では、番組開始時刻（０分）にてコーナーＡの放送率が１００％であり、この時刻はコーナーＡの予測時間帯に含まれて表示される。Ｓ９０８で表作成制御部１０５は、Ｓ９０６の判定条件を満たさないため、判定対象の時刻を予測時間帯に含めないと判断する。つまりコーナー予測番組表に該当時刻が表示されないか、または予測時間帯とは区別して表示される。例えば、放送可能性が「高」の場合、図３（Ｂ）の例では、番組開始時刻から６分後のコーナーＡの放送率が３０％であるため、この時刻はコーナーＡの予測時間帯に表示されない。
Ｓ９０７、Ｓ９０８の後、番組の放送時間内でのＳ９０６の比較処理が完了したか否かを表作成制御部１０５が判定する。次の１分間が番組の放送時間内であると判定された場合（Ｓ９０９でＮＯ）、Ｓ９１０に進み、次の１分間についても同様にそのコーナー予測の表示判断を実行するために、Ｓ９０６に戻る。つまり、現在時刻（比較対象時刻）を１分進めて（インクリメント）、Ｓ９０６に戻る。また、番組の全放送時間に亘ってコーナー予測の表示判断が完了した場合（Ｓ９０９でＹＥＳ）、Ｓ９１１に進む。Ｓ９１１で表作成制御部１０５は、コーナー予測番組表の表示判定対象とされる放送番組内に、まだ表示判定を行っていないコーナーがあるか否かを判断する。そのようなコーナーが存在する場合（Ｓ９１１でＮＯ）、Ｓ９１２に進み、表作成制御部１０５は、表示判定を行っていないコーナーについて表示判定を開始させ、Ｓ９０５に戻る。また、表示判定対象とされる放送番組内の全コーナーについての表示判定が完了した場合（Ｓ９１１でＹＥＳ）、その番組についてのコーナー予測表示の準備が完了し、Ｓ９１３に進む。例えば、図３（Ｂ）に示す番組ａで放送されるコーナーＡ乃至Ｄの表示判定が完了すると、図５（Ａ）に示す予測時間帯６０３乃至６０６の表示が可能となる。
【００１５】
Ｓ９１３で表作成制御部１０５は、番組情報取得部１１６から取得した番組情報の示す番組で、まだ表示判定を行っていない番組があるか否かを判断する。表示判定を行っていない番組が存在する場合（Ｓ９１３でＮＯ）、Ｓ９１４に進み、次の番組について表示判定を開始させる。つまり、コーナーの表示判定を行っていない番組に関して当該番組内のコーナーの表示判定を行うために、表作成制御部１０５はＳ９０４に処理を進める。番組情報取得部１１６が取得した番組情報の示す全番組について、コーナーの表示判定が完了した場合（Ｓ９１３でＹＥＳ）、Ｓ９１５に進む。ここで表作成制御部１０５はＳ９０７およびＳ９０８の表示判定結果に従って、画面作成部１０９にコーナー予測番組表の作成を指示する。作成したコーナー予測番組表の画像信号は合成部１１４を経て表示部１１５に送られ、コーナー予測番組表（図５参照）が表示される。なお、図６のフローチャートでは、全番組のコーナー予測表示の判定後にコーナー予測番組表が表示されるが、コーナー予測表示の判定が完了した番組から順次にコーナー予測番組の表示が行われるようにしてもよい。
第１実施形態では、放送番組内のコーナーの過去一定期間における放送実績（放送時刻の統計情報）を受信装置が集計する。そして放送可能性に係るユーザの指定操作に応じて、コーナー予測番組表にて各コーナーの予測時間帯が表示されるので、ユーザの要望に応じたコーナー予測表示が可能となる。ユーザはコーナーの放送予測情報を見て選局操作を行い、あるいは録画予約などの所望の操作を行えるので、利便性が高まる。
【００１６】
［第２実施形態］
次に本発明の第２実施形態を説明する。図１に示す第２実施形態に係る受信装置１００１が第１実施形態に係る受信装置１０１と異なる点は、表示テクスチャ決定部１００２が追加されていることである。よって、以下では相違点を中心に説明し、第１実施形態と同様の構成要素については既に使用した符号を用いることで詳細な説明を省略する。このような説明の省略は以降に説明する実施形態にも適用する。
表作成制御部１０５は、表示判断部１０６からコーナー予測番組表の表示指示を受けた場合、コーナー予測番組表の作成処理を開始する。但し、第１実施形態とは異なり、表示判断部１０６から放送可能性は指定されない。表作成制御部１０５は、各時刻のコーナーの放送率を表示テクスチャ決定部１００２に通知する。表示テクスチャ決定部１００２は放送率に応じてコーナーの予測時間帯を表示する際のテクスチャを決定する。このテクスチャはコーナーの放送可能性を視覚的に区別するための表示属性である。
【００１７】
図７は表作成制御部１０５が作成するコーナー予測番組表１１０１を例示する。コーナー予測番組表１１０１は、番組ａの放送率が図３（Ｂ）で示す場合に作成される番組表の表示例である。本例では「高」、「中」、「低」の３段階で示す放送可能性に応じて異なるテクスチャ１１０７乃至１１０９で予測時間帯が表示され、それぞれ以下の通りである。
・テクスチャ１１０７：放送可能性「低」で、放送率が１０％以上４０％未満の予測時間帯に使用する。
・テクスチャ１１０８：放送可能性「中」で、放送率が４０％以上９０％未満の予測時間帯に使用する。
・テクスチャ１１０９：放送可能性「高」で、放送率が９０％以上の予測時間帯に使用する。
【００１８】
図７は番組名の表示欄１１０２に示す番組ａ内のコーナーＡ乃至Ｄの予測時間帯１１０３乃至１１０６を示す。以下では図３（Ｂ）に示す放送率を例にして、コーナーＢの予測時間帯１１０４について説明する。番組開始時刻から５分後の放送率は１０％であるため、表示テクスチャ決定部１００２はコーナー予測表示にテクスチャ１１０７を使用する。番組開始時刻から６分後の放送率は７０％であるため、テクスチャ１１０８が使用される。番組開始時刻から７乃至９分後の放送率は９０％以上であるため、テクスチャ１１０９が使用される。番組開始時刻から１０乃至１２分後の放送率は４０％以上９０％未満であるため、テクスチャ１１０８が使用される。コーナーＢの番組開始時刻から１３乃至１４分後の放送率は１０％以上４０％未満であるため、テクスチャ１１０７が使用される。
本例では放送可能性の違いをテクスチャで区別して表現したが、ユーザが視覚的に識別可能であれば、色の違いや濃淡等で表現してもよい。また、放送可能性について４段階以上に区分けし、さらに詳しく表示する形態でも構わない。
【００１９】
第２実施形態によれば、放送番組内におけるコーナーの過去一定期間に亘る放送率の統計情報に基づき、放送可能性に応じたテクスチャで予測時間帯を表示する。これにより、ユーザはコーナー予測番組表にて各コーナーの予測時間帯を一目で把握できる。
【００２０】
［第３実施形態］
次に本発明の第３実施形態を説明する。
図８は、第３実施形態に係る受信装置１２０１の構成例を示す。図１に示す受信装置と異なる点は、コーナー予測表示重なり計算部（以下、重なり計算部という）１２０２を設けていることである。受信装置１２０１は、図９に示すコーナー予測番組表１３０１にて各コーナーの予測時間帯を重ねて表示する（領域１３０７参照）。
表作成制御部１０５は、表示判断部１０６からコーナー予測番組表の表示指示を受けた場合、コーナー予測番組表の作成処理を開始させる。このとき、第１実施形態とは異なり、表示判断部１０６から放送可能性は指定されない。そして表作成制御部１０５は、各時刻でのコーナーの放送率を重なり計算部１２０２に通知する。重なり計算部１２０２は、複数のコーナーに関して予測時間帯が重なっている場合に、コーナー放送率計算部１０４が計算した放送率を用いて、どちらの予測時間帯を手前側（前景）に描画させるかを判断する。各時刻において放送率が大きい方のコーナーの予測時間帯を重なりの手前側に描画すると判断される。
【００２１】
図９は、作成されたコーナー予測番組表１３０１を例示し、番組ａの放送率が図３（Ｂ）に示す場合の表示例である。番組名の表示欄１３０２に示す番組ａ内のコーナーＡ乃至Ｄの予測時間帯１３０３乃至１３０６が部分的に重なり合って表示されている。
コーナー予測番組表１３０１にて各コーナーの予測時間帯が重複する場合、各コーナーについて予測表示の描画を行う際に各予測時間帯が重なって表示される。領域１３０７では、コーナーＡとコーナーＢとで予測時間帯が重なっている。図３（Ｂ）に示す放送率の場合、重なり計算部１２０２は、番組開始時刻から５乃至７分の期間で、それぞれの放送率が１０％以上であるため、コーナーＡとＢの予測時間帯が重複していると判断する。両コーナーの予測時間帯が重なり合う期間中、番組開始時刻から５分間ではコーナーＡの放送率がコーナーＢの放送率より高い。よって重なり計算部１２０２はコーナーＡの予測時間帯を、コーナーＢの予測時間帯よりも前景に表示させると判断する。また重なり合う期間中、番組開始時刻から６乃至７分間ではコーナーＢの放送率がコーナーＡの放送率より高い。よって重なり計算部１２０２は、コーナーＢの予測時間帯をコーナーＡの予測時間帯よりも前景に表示させると判断する。その結果、コーナーＡとＢとで予測時間帯が重なっている領域１３０７にて、番組開始時刻から５分間はコーナーＡの予測時間帯が手前側に表示され、６分から７分の間はコーナーＢの予測時間帯が手前側に表示される。重なり計算部１２０２は、他のコーナー間の重なり部分についても同様の判断を行い、表作成制御部１０５は判断結果に従ってコーナー予測番組表１３０１の作成処理を制御する。
【００２２】
第３実施形態によれば、放送番組内におけるコーナーの過去一定期間に亘る放送率の統計情報に基づき、コーナー同士の放送率を比較して予測時間帯を重なり合った状態で表示する。これによりユーザは、予測時間帯が重なり合ったコーナーのうち、どのコーナーの放送可能性が高いかを直ちに知ることができる。
【００２３】
［第４実施形態］
次に本発明の第４実施形態を説明する。
図１０は、本発明に係る受信装置の構成例を示す。図１０は本発明の第４実施形態に係る受信装置１４０１及び第５実施形態に係る受信装置２１０１の説明に使用する。
受信装置１４０１が第２実施形態に係る受信装置１００１と異なる点は、コーナー放送率計算部１０４に代えて放送開始率計算部１４０２が設けられ、放送開始率再計算部１４０３が追加されていることである。また受信装置１４０１はコーナー予測番組表に、コーナーが放送される予測時間帯ではなく、コーナーの放送が開始される時間帯の予測情報を表示する。
表作成制御部１０５は、表示判断部１０６からコーナー予測番組表の表示指示を受けた場合、コーナー予測番組表の作成処理を開始させる。放送開始率計算部１４０２は、時刻データ蓄積部１０３に蓄積されているコーナーの開始時刻情報から放送開始率を計算する。コーナーの放送開始率とは、過去の一定期間（本実施形態では１０日）において、特定の時刻にそのコーナーの放送が開始された割合を示す。図１１（Ａ）は、番組ｅ内のコーナーＪとコーナーＫの開始時刻と終了時刻の蓄積データを例示する。番組ｅの開始時刻は１０時００分であり、以下では、コーナーJについて放送開始率の算出処理を説明する。番組開始時刻から８分後にコーナーＪの放送が開始した日数は０日であるため、８分後の放送開始率は０％となる。番組開始時刻から９分後に放送が開始した日数は１０日中の１日（１１月２１日）であるため、９分後の放送開始率は１０％となる。番組開始時刻から１０分後に放送が開始した日数は２日（１１月２８日と１１月２５日）であるため、１０分後の放送開始率は２０％となる。図１１（Ａ）に示すコーナーＪとＫの放送開始率を図１１（Ｂ）に示す。
表作成制御部１０５は、放送開始率計算部１４０２から取得した放送開始率に基づき、表示テクスチャ決定部１００２から放送開始率に応じたテクスチャを取得する。表作成制御部１０５は、画面作成部１０９にコーナー予測番組表の作成を指示する。
【００２４】
図１２はコーナー予測番組表１７０１の表示例を示す。表示欄１７０２に示す番組ｅについて、コーナーＫとＪの放送開始率が図１１（Ｂ）の場合のコーナー予測番組表を示している。コーナー予測番組表１７０１には、放送開始率に応じた放送可能性を３段階で区別する下記テクスチャ１７０６乃至１７０８と、放送済みのコーナーを表す下記テクスチャ１７０９により、コーナーＪおよびＫの予測時間帯１７０３乃至１７０５が表示される。
・テクスチャ１７０６：放送可能性「低」で、放送開始率が１０％以上３０％未満の予測時間帯に使用する。
・テクスチャ１７０７：放送可能性「中」で、放送開始率が３０％以上５０％未満の予測時間帯に使用する。
・テクスチャ１７０８：放送可能性「高」で、放送開始率が５０％以上の予測時間帯に使用する。
・テクスチャ１７０９：現時点で放送済みの時間帯に使用する。
図中の現在時刻バー１７１０は、現在時刻を横線で表している。コーナー予測番組表１７０１にて現在時刻は９時５９分である。
放送開始率再計算部１４０３は、現在時刻以降の生起確率によって各コーナーの放送開始率を算出する。例えば、放送開始率が図１１（Ｂ）の場合に、現在時刻を１０時１６分とし、コーナーＪの放送が１０時１０分に開始された場合を想定する。このときのコーナー予測番組表１７０１を図１３に示す。現在時刻バー１７１０は、１０時１６分の位置に表示されている。コーナーＪが１０時１０分に放送された場合、領域１８０１で示すように、コーナーＪの放送が既に開始されたことがテクスチャ１７０９により表示される。この時、１０時１６分以降にコーナーＪの放送が開始される確率は０％となるため、図１２に表示されていた予測時間帯１７０５は、領域１８０２に示すように図１３では表示されない。
【００２５】
次に、放送開始率が図１１（Ｂ）の場合、現在時刻が１０時１６分であって、コーナーＪの放送がまだ開始されていない場合について説明する。放送開始率再計算部１４０３は、コーナーＪについて現在時刻以降の生起確率を計算する。放送開始率計算部１４０２の計算結果が図１１（Ｂ）の場合、放送開始率再計算部１４０３は１０時１６分の時点（番組開始時刻から１６分後）でのコーナーＪの放送開始率を計算する。番組開始時刻から１６分後のデータを用いた再計算結果を図１４に示す。このときのコーナー予測番組表１７０１を図１５に示す。現在時刻バー１７１０は１０時１６分の位置に表示されている。
コーナーＪは、現在時刻１０時１６分以前に放送が開始されなかったため、図１２（現在時刻９時５９分）には表示されていた予測時間帯１７０４は、図１５の領域２００１には表示されない。つまり、コーナーＪの予測時間帯は、現在時刻１０時１６分以降に表示され、その際には、図１４に示す放送開始率の再計算結果に基づいてテクスチャ表示が行われる。コーナーＪの予測時間帯２００２は、１０時１９分から１０時２１分に亘って、テクスチャ１７０６乃至１７０８で表示される。
【００２６】
第４実施形態によれば、コーナーの開始時刻について現在時刻以降の生起確率が算出され、コーナーの開始予測時間帯と併せてコーナーが放送済みであることがリアルタイムでユーザに提示される。これにより、ユーザの要望に応じたコーナーの開始時刻予測及び放送開始済み状況の表示が可能となる。
【００２７】
［第５実施形態］
次に本発明の第５実施形態を説明する。図１０に示す第５実施形態に係る受信装置２１０１が第４実施形態に係る受信装置１４０１と異なる点は、コーナー予測選局判断部２１０２が追加されていることである。
コーナー予測選局判断部２１０２は、ユーザから指定されるコーナーに関して、各サービスの各番組におけるコーナーの放送開始率を用いて選局動作を判断する。その判断処理については、後で詳述する。
ユーザが選局するコーナーの指定は、図１６に示すコーナー予測選局メニュー２２０１によって行われる。本例では、選局対象とされるコーナー名の入力領域２２０２と、選局モードの選択ボタン２２０３、２２０４が画面上に表示される。ユーザはリモコン操作により、入力領域２２０２に、選局したいコーナー名を入力する。あるいは、コーナー名の候補を表示して複数の選択肢からユーザの選択を促す入力形態でもよい。またユーザは選局モード選択ボタン２２０３と２２０４を操作して選局モードを選択できる。本例では、指定したコーナーを早く見たいモード（選択ボタン２２０３参照）と、指定したコーナーを確実に見たいモード（選択ボタン２２０４参照）が用意されており、ユーザがいずれかを選択する。選局モードの選択および処理については後述する。
【００２８】
次に図１７のフローチャートを用いて、受信装置２１０１におけるコーナー予測選局の処理例について説明する。本例では、図１６のコーナー予測選局メニュー２２０１にて「天気予報コーナー」が入力され、そのコーナー予測選局の指示があった場合を説明する。
コーナー予測選局判断部２１０２は、「天気予報コーナー」についてのコーナー予測選局が指示されると、現在時刻（１５時０５分とする）から３０分以内に放送開始率がゼロを超えるコーナーについて放送開始率を取得する（Ｓ２３０１）。放送開始率計算部１４０２が算出してコーナー予測選局判断部２１０２が取得した結果を図１８に例示する。本例では、５つの天気予報コーナーＭ乃至Ｑと、時刻毎の放送開始率を示す。
Ｓ２３０２でコーナー予測選局判断部２１０２は、ユーザが図１６のコーナー予測選局メニュー２２０１で指定した選局モードを判別する。選択ボタン２２０３の操作により「早く見たいモード」が指定された場合、Ｓ２３０７に進む。Ｓ２３０７でコーナー予測選局判断部２１０２は、現在時刻にて放送開始率が最大のコーナーを選局する。図１８の例では、現在時刻１５時０５分にて、番組ｏのサービス３で提供する天気予報コーナーＯの放送開始率（１０％）が最大である。そこで、コーナー予測選局判断部２１０２は、チューナ１１２に対してサービス３の選局を指示する。その後の１５時０９分では、番組ｍのサービス１で提供する天気予報コーナーＭの放送開始率が１番大きいため、サービス１が選局指定される。そして１５時１１分では、番組ｑのサービス５で提供する天気予報コーナーＱの放送開始率が１番大きいため、サービス５が選局指定される。
【００２９】
以上のように、「早く見たいモード」では、現在時刻において放送開始率が最大のコーナーについて選局動作が行われる。Ｓ２３０８でコーナー予測選局判断部２１０２は、選局したコーナーの放送開始を判断する。コーナーの放送が開始していると判断された場合（Ｓ２３０８でＹＥＳ）、選局動作を停止して処理を終了する。またコーナーの放送が開始していないと判断された場合（Ｓ２３０８でＮＯ）、Ｓ２３０７に戻る。
Ｓ２３０２で、図１６の選択ボタン２２０４の操作により「確実に見たいモード」が指定された場合、Ｓ２３０３に進む。Ｓ２３０３でコーナー予測選局判断部２１０２は、番組開始時刻の分布発生位置が現在時刻以降のものを抽出する。図１８にて、現在時刻１５時０５分以降に放送開始率がゼロを超える、天気予報コーナーＭ、Ｎ、Ｐ、Ｑが抽出される。Ｓ２３０４でコーナー予測選局判断部２１０２は、各時刻の放送開始率の合計（総開始率）が最大値に近いコーナーを抽出する。本実施形態では判定基準値を最大値の５％とする。つまり最大値に近いコーナーとして、最大値の５％以内のものが抽出される。図１８の例では合計欄に示すように、総開始率の最大値は１００％と判断される。このとき最大値に近いものは総開始率が基準値以上（９５％以上）のコーナーであるため、天気予報コーナーＭ、Ｐ、Ｑが該当する。Ｓ２３０５でコーナー予測選局判断部２１０２はさらに、各コーナーの放送が開始された開始時刻の分布を調べ、放送開始率の終了位置（分布の終端位置）の時刻が、現在時刻に最も近いコーナーを抽出する。図１８に示す天気予報コーナーＭ、Ｐ、Ｑについて、それぞれの番組開始時刻分布の終了位置は、それぞれ１５時１１分、１５時１５分、１５時１３分である。よって終了位置が現在時刻１５時０５分に最も近い天気予報コーナーＭが抽出される。Ｓ２３０６でコーナー予測選局判断部２１０２は、Ｓ２３０５で抽出した天気予報コーナーＭを視聴対象とし、チューナ１１２にサービス１の選局指示を行い、処理を終了する。なお、最終的に抽出されるコーナーが複数の場合には、別の条件でさらにフィルタリング処理で絞込みを行うか、あるいは複数の候補をユーザに提示して選択を促す手段などを講じればよい。
【００３０】
第５実施形態によれば、ユーザはコーナーの選局指定を行う場合に、コーナーの先頭を見逃したとしても早く見たいのか、番組の先頭を見逃すことなく確実に見たいのかについて、選局モードを指定できる。この選局モードの指定に応じて選局動作が変更される。つまり、ユーザがコーナーの先頭を見逃したとしても早く見たいモードが指定された場合、現時点で放送開始率が最も大きいコーナーについて選局動作が行われる。一方、ユーザが番組の先頭を見逃すことなく確実に見たいモードが指定された場合、未だ放送が開始しておらず、かつ総開始率が最大値に近いコーナーが抽出される。複数の候補のうちで開始時刻分布の終端位置の時刻が現在時刻に最も近いコーナーが選択されて選局動作が行われる。こうして、ユーザの要望に応じたコーナー予測選局が可能となる。
【符号の説明】
【００３１】
１０１、１００１、１２０１、１４０１、２１０１  受信装置
１０２  コーナー検出部
１０３  時刻データ蓄積部
１０４  コーナー放送率計算部
１０５  コーナー予測番組表作成制御部
１０６  コーナー予測番組表表示判断部
１０７、１１２  チューナ
１０９  画面作成部
１２０２  コーナー予測表示重なり計算部
１４０２  放送開始率計算部
１４０３  放送開始率再計算部
２１０２  コーナー予測選局判断部
【図１】
0005641854.tif 000002
【図２】
0005641854.tif 000003
【図３】
0005641854.tif 000004
【図４】
0005641854.tif 000005
【図５】
0005641854.tif 000006
【図６】
0005641854.tif 000007
【図７】
0005641854.tif 000008
【図８】
0005641854.tif 000009
【図９】
0005641854.tif 000010
【図１０】
0005641854.tif 000011
【図１１】
0005641854.tif 000012
【図１２】
0005641854.tif 000013
【図１３】
0005641854.tif 000014
【図１４】
0005641854.tif 000015
【図１５】
0005641854.tif 000016
【図１６】
0005641854.tif 000017
【図１７】
0005641854.tif 000018
【図１８】
0005641854.tif 000019